(57)【要約】      （修正有）【課題】確実なズレ防止機能を維持しつつ、しかも円滑な取付け取外し作業を実現できるフロアマットを提供する。【解決手段】表装材１２と繊維質バッキング１６とを備えており、前記繊維質バッキング１６の裏面側には経編み緯糸挿入編物１７であって、当該経編み緯糸挿入編物１７を構成するモノフィラメントからなるカットされたループ状経糸のカット端１７ａがファーストカーペットを係止する係止突起として編物表面に突出する編物が配されており、さらに前記経編み緯糸挿入編物１７の裏側にはループ状経糸のカット端１７ａを収容する多孔質カバー１８が配されており、当該フロアマット１１を踏付けたときの踏付け力によって前記ループ状経糸のカット端１７ａ多孔質カバー１８から出没するようにした。【選択図】図２
2014061122.tif 000002
【特許請求の範囲】
【請求項１】
自動車床面のファーストカーペット上に載置するズレ防止性に優れるフロアマットであって、
表装材と前記表装材裏面側に設けた繊維質バッキングとを備えており、
前記繊維質バッキングの裏面側には該繊維質バッキングの構成繊維の一部が前記ファーストカーペットを係止する係止突起として突出しており、さらに前記繊維質バッキングの裏面側には前記係止突起を収容する多孔質カバーが配されており、
当該フロアマットを踏付けたときの踏付け力によって前記繊維質バッキングの係止突起として突出する繊維が多孔質カバーから出没するようにしたことを特徴とするフロアマット。
【請求項２】
繊維質バッキングには高融点のポリマー成分と低融点のポリマー成分とからなる分割型複合繊維が含まれており、前記分割型複合繊維の分割された前記高融点のポリマー成分からなる繊維が当該繊維質バッキングの裏面側にファーストカーペットを係止する係止突起として突出しており、その繊維の根元が前記分割型複合繊維の溶融した低融点のポリマー成分によって固められていることを特徴とする請求項１に記載のフロアマット。
【請求項３】
繊維質バッキングの裏面側に、経編み緯糸挿入編物であって、当該経編み緯糸挿入編物を構成するモノフィラメントからなるカットされたループ状経糸のカット端がファーストカーペットを係止する係止突起として編物表面に突出する編物が前記カット端の突出側面を外側として積層一体化されていることを特徴とする請求項１に記載のフロアマット。
【請求項４】
多孔質カバーが不織布、樹脂層又は不織布中に樹脂を充填した複合物からなることを特徴とする請求項１〜３のいずれかに１項に記載のフロアマット。
【発明の詳細な説明】
【技術分野】
【０００１】
本発明は、自動車床面のファーストカーペット上に載置するズレ防止性に優れるフロアマットに関する。
【背景技術】
【０００２】
自動車床面は、フロアパネル上にアスファルト系シートからなる遮音層を設け、この上にさらにエアークッションシート、グラスウール、フェルトなどからなるファーストカーペットを積層一体化してなる防音構造によって構成されている。このため、裏面にフェルトなどの繊維質バッキングを設けたフロアマットをファーストカーペット上に載置した場合、ファーストカーペットとの摩擦係数が小さく、当該フロアマットに力が加わったときには、その力の方向に滑ってズレが生じることがあった。特に運転席側の床面に敷かれるフロアマットにズレが生じた場合、そのズレたフロアマットがアクセルペダルやブレーキペダルに干渉し、大事故に繋がる危険性があり、従来より、様々な対策が講じられている。
【０００３】
このような事情から、本発明者は、図３に示すフロアマットを提案している（特許文献１参照）。そのフロアマットは、裏面側に経編み緯糸挿入編物２が一体化された不織布バッキング１を設けたものであって、前記経編み緯糸挿入編物２の表面には該経編み緯糸挿入編物２を構成するモノフィラメントからなるカットされた多数のループ状経糸のカット端３が突出しており、それらのカット端３が自動車床面のファーストカーペット内に入り込んでこれを係止して当該フロアマットのズレを確実に防止できるようになっている。
【先行技術文献】
【特許文献】
【０００４】
【特許文献１】特開２０１１−１２０９２６号公報
【発明の概要】
【発明が解決しようとする課題】
【０００５】
ところが、上記フロアマットの場合、該フロアマットを自動車床面上のファーストカーペットの所定位置に設置しようとする過程で、経編み緯糸挿入編物の裏面側に突出している多数のループ状経糸のカット端のうち、その一部がファーストカーペットに触れるとこれを係止してしまうため、それを引き剥がしながら位置決めする必要があった。特に運転席側のフロアマットにあっては、より確実に該フロアマットのズレを防止するため、フロアマットの縁部に設けたハトメ孔にファーストカーペット側に固定したフックを嵌め込んで引っ掛ける必要があり、ループ状経糸のカット端が係止したファーストカーペットを引き剥がしながらフロアマットの位置決めをする作業は、きわめて煩雑であった。
【０００６】
本発明は、このような事情に鑑みなされたものであり、特許文献１において提案したフロアマットをさらに改良したものであり、確実なズレ防止機能を維持しつつ、しかも円滑な取付け取外し作業を実現できるフロアマットを提供することを目的とするものである。
【課題を解決するための手段】
【０００７】
上記目的を達成するため、請求項１に記載の発明は、自動車床面のファーストカーペット上に載置するズレ防止性に優れるフロアマットであって、
表装材と前記表装材裏面側に設けた繊維質バッキングとを備えており、
前記繊維質バッキングの裏面側には該繊維質バッキングの構成繊維の一部が前記ファーストカーペットを係止する係止突起として突出しており、さらに前記繊維質バッキングの裏面側には前記係止突起を収容する多孔質カバーが配されており、
当該フロアマットを踏付けたときの踏付け力によって前記繊維質バッキングの係止突起として突出する繊維が多孔質カバーから出没するようにしたことを特徴とするフロアマットをその要旨とした。
【０００８】
請求項２に記載の発明は、繊維質バッキングには高融点のポリマー成分と低融点のポリマー成分とからなる分割型複合繊維が含まれており、前記分割型複合繊維の分割された前記高融点のポリマー成分からなる繊維が当該繊維質バッキングの裏面側にファーストカーペットを係止する係止突起として突出しており、その繊維の根元が前記分割型複合繊維の溶融した低融点のポリマー成分によって固められていることを特徴とする請求項１に記載のフロアマットをその要旨とした。
【０００９】
請求項３に記載の発明は、繊維質バッキングの裏面側に、経編み緯糸挿入編物であって、当該経編み緯糸挿入編物を構成するモノフィラメントからなるカットされたループ状経糸のカット端がファーストカーペットを係止する係止突起として編物表面に突出する編物が前記カット端の突出側面を外側として積層一体化されていることを特徴とする請求項１に記載のフロアマットをその要旨とした。
【００１０】
請求項４に記載の発明は、多孔質カバーが不織布、樹脂層又は不織布中に樹脂を充填した複合物からなることを特徴とする請求項１〜３のいずれかに１項に記載のフロアマットをその要旨とした。
【発明の効果】
【００１１】
本発明のフロアマットにあっては、繊維質バッキングの裏面側に当該繊維質バッキングの構成繊維の一部がファーストカーペットを係止する係止突起として突出しており、さらに前記不織布バッキングの裏面側には前記係止突起を収容する多孔質カバーが配されており、当該フロアマットを踏付けたときの踏付け力によって前記繊維質バッキングの係止突起として突出する繊維が多孔質カバーから出没するようになっていることから、該フロアマットを自動車床面上のファーストカーペットの所定位置に設置しようとするときには、裏面側に突出する繊維質バッキングの構成繊維の一部からなる係止突起は多孔質カバー内に収容されており、当該フロアマットに踏付け力が加わったとき、多孔質カバー内から繊維質バッキングの構成繊維の一部からなる係止突起が飛び出て、ファーストカーペットを係止し、フロアマットのズレを確実に防止するようになっており、優れたズレ防止機能を有し、しかも円滑な取付け取外し作業を実現できるという効果を奏する。
【図面の簡単な説明】
【００１２】
【図１】本発明のフロアマットを示す要部拡大断面図。
【図２】図１に示すフロアマットに踏付け力が加わったときの状態を示す要部拡大断面図。
【図３】従来のフロアマットを示す要部拡大断面図。
【発明を実施するための形態】
【００１３】
以下、本発明を図面に示した一実施の形態に従ってさらに詳しく説明する。図１に示すフロアマット１１は、表装材１２と繊維質バッキング１６とを有している。表装材１２は、不織布、織物、編物、フェルトあるいはこれらの複合物からなる基布１３にパイル糸１４を所定のボリュームで略Ｕ字状となるように打ち込み、抜け止めのためのプレコート１５を施したものである。尚、本発明のフロアマット１１における表装材は、パイル糸１４を打ち込まない基布１３のみからなる形態を採ることもできる。
【００１４】
表装材１２を構成する基布１３には、例えばチタン、セリウム、亜鉛、銅といった光触媒粒子表面をフッ素系多孔質層で被覆した抗菌性防臭粒子を繊維表面に付着させた抗菌性防臭繊維を含ませたもの、あるいは従来公知の抗菌剤をバインダーと共に基布１３の構成繊維表面に塗布または散布して付着させたものを用いることができる。この場合、表装材１２は抗菌性を有するようになり、車室内の悪臭を効率よく吸収しこれを分解または吸着除去するようになる。
【００１５】
また、表装材１２を構成する基布１３は、導電性繊維を含んでいて静電気の空中放電機能を有する放電紙を積層すると共に、これら放電紙と基布１３の積層物に導電性繊維を含むパイル糸１４を略Ｕ字状となるように打ち込んでなる表装材１２を用いることもできる。
【００１６】
この場合、人がフロアマット１１に接触したとき、パイル糸１４に含まれる導電性繊維が人体に帯電した静電気を瞬時にフロアマット１１側へと導き、フロアマット１１内の放電紙によって空中放電されるようになる。また、静電気の一部は、放電紙を経由してパイル糸１４に含まれる導電性繊維を通じて空中放電されるようになっている。
【００１７】
尚、上記放電紙及びパイル糸１４に含まれる導電性繊維としては、特に限定されず、例えば炭素繊維、金属繊維、導電性セラミック繊維などの無機繊維、合成繊維を主材とし、この繊維表面に銅や銀、アルミニウムなどの金属をメッキしたメッキ繊維、繊維表面に銅や銀、アルミニウムなどの金属を練り込んだもの、あるいは繊維成分中に導電性を有する樹脂を含ませた繊維などを挙げることができる。
【００１８】
繊維質バッキング１６は、例えばポリプロピレンやポリエチレンなどのポリオレフィン系繊維、ポリエチレンテレフタレートなどのポリエステル系繊維、ナイロン６（登録商標）、ナイロン６６（登録商標）などのポリアミド系繊維、ポリアクリロニトリルなどのアクリル系繊維、或いはポリビニルアルコール系繊維から選ばれる１種若しくは２種以上を構成繊維とする不織布、紙、織物、編物、或いはそれらを組み合わせた複合体を用いることができる。尚、繊維質バッキングの目付や厚さ、構成繊維の繊維径や繊維長は任意であり、当該フロアマットに要求される軽量化の度合いや機械的強度などを考慮して適宜決定することができる。また繊維質バッキングには、表装材と同じく抗菌性防臭繊維や従来公知の抗菌剤を含ませることができる。
【００１９】
また繊維質バッキング１６は、高融点のポリマー成分と低融点のポリマー成分とからなる分割型複合繊維を含まれており、前記分割型複合繊維の分割された前記高融点のポリマー成分からなる繊維が当該繊維質バッキングの裏面側にファーストカーペットを係止する係止突起として突出しており、その繊維の根元が前記分割型複合繊維の溶融した低融点のポリマー成分によって固められている形態を採ることもできる。この場合、分割型複合繊維には、繊維質バッキング１６の構成繊維の繊度が１〜２０デシテックスであるのに対し、分割型複合繊維の分割された高融点のポリマー成分からなる繊維の繊度が５０〜３００デシテックスであるものを用いることで、繊維質バッキングの裏面側に突出する高融点のポリマー成分からなる繊維が係止突起として機能するようになる。
【００２０】
、
上記のような繊維質バッキングは、例えば以下に示す方法で得ることができる。すなわち、繊維質バッキングを構成する繊維ウェブを形成し、次いで、前記繊維質バッキングの繊維ウェブ上に、高融点のポリマー成分と低融点のポリマー成分とからなる分割型複合繊維からなる複合繊維ウェブを形成し、次いで、絡合処理を施すことにより、前記不織布バッキングの繊維ウェブ及び複合繊維ウェブのそれぞれの繊維相互、並びに不織布バッキングの繊維ウェブと複合繊維ウェブの繊維相互を結合させ、この後、前記分割型複合繊維の高融点のポリマー成分の融点よりも低く、低融点のポリマー成分の融点と同じか若しくは高い温度で加熱することで、前記分割型複合繊維を分割させ、高融点のポリマー成分からなる繊維が係止突起として繊維質バッキングの裏面側に突出する繊維質バッキングを得ることができる。
【００２１】
このような形態を採った場合、後述する経編み緯糸挿入編物を用い、これを繊維質バッキングに積層一体化する工程を必要とせず、繊維質バッキングそのものが経編み緯糸挿入編物が持つズレ防止機能を有することになる。
【００２２】
図１は、繊維質バッキング１６の裏面側に経編み緯糸挿入編物１７を接合したものである。経編み緯糸挿入編物１７は、この編物を構成するモノフィラメントからなるカットされたループ状経糸のカット端１７ａが編物表面から突出しており、このカット端１７ａがファーストカーペットを係止する係止突起として機能するようになっている。
【００２３】
また図１に示す形態の場合、繊維質バッキング１６中には熱接着性繊維が含まれており、繊維質バッキング１６の裏面側に経編み緯糸挿入編物１７を積層した状態で絡合処理を行うことで、繊維質バッキング１６中の熱接着性繊維が経編み緯糸挿入編物１７に絡み付いて結合し、加熱処理により熱接着性繊維が熱溶融し、その熱溶融物１６ａによって繊維質バッキング１６と経編み緯糸挿入編物１７とが接合されている。
【００２４】
熱接着性繊維としては、例えば高融点重合体を芯成分、低融点重合体を鞘成分に配した芯鞘型複合繊維からなるものを好ましいものとして挙げることができる。特に、高融点重合体の融点と低融点重合体の融点との差が１５℃以上であることが好ましく、２０℃以上であることがさらに好ましい。高融点重合体／低融点重合体の組み合わせとしては、ポリエステル／ポリオレフィン、高融点ポリエステル／低融点ポリエステル、ポリアミド／ポリオレフィン、高融点ポリアミド／低融点ポリアミド、ポリプロピレン／ポリエチレン、高融点ポリエチレン／低融点ポリエチレン等が挙げられる。
【００２５】
次に、多孔質カバーについて説明する。図１に示すように、多孔質カバー１８は、繊維質バッキング１６の裏面側にファーストカーペットを係止する係止突起として突出する繊維、例えばカット端１７ａを収容し、図２に示すように当該フロアマット１１を踏付けたときの踏付け力（図２中矢印に示す）によって該多孔質カバー１８から出没できるようにカバーするものである。
【００２６】
多孔質カバー１８としては、繊維質バッキング１６の裏面側にファーストカーペットを係止する係止突起として突出する繊維、例えばカット端１７ａを収容し、当該フロアマット１１を踏付けたときの踏付け力によって該多孔質カバー１８から出没できるようにカバーできるものであるならば、その素材や構造は何でも良い。好ましい具体例としては、不織布、樹脂層又は不織布中に樹脂を充填した複合物などを挙げることができる。図１及び図２に示す多孔質カバー１８には、ナイロン６（登録商標）を構成繊維とするニードルパンチ不織布を採用した。また多孔質カバー１８にニードルパンチ不織布を採用した場合、多孔質カバー１８表面を焼いてカバー表面の繊維を部分的に熱溶融させてズレ止め機能を持つ樹脂塊を形成することもできる。
【００２７】
繊維質バッキング１６の裏面側に係止突起として突出する繊維、例えばカット端１７ａを収容し、かつ当該多孔質カバー１８から出没できるように多孔質カバー１８を設けるには、例えば繊維質バッキング１６の係止突起として突出する繊維、例えばカット端１７ａの側面に、熱接着性繊維が含まれる繊維ウェブを形成し、次いで、ニードリングなどの絡合処理を施して繊維ウェブの構成繊維を繊維質バッキング１６の構成繊維及び又は経編み緯糸挿入編物１７と絡ませて結合させる。次いで、繊維ウェブ中の熱接着性繊維を熱溶融させるという方法を採ることができる。尚、この場合、熱接着性繊維の含有量が余りに多いと、多孔質カバー１８を構成する繊維間相互の自由度がなくなり、カット端１７ａが多孔質カバー１８内を出没することが困難になる。
【００２８】
繊維質バッキング１６の裏面側に係止突起として突出する繊維、例えばカット端１７ａを収容し、かつ当該多孔質カバー１８から出没できるように多孔質カバー１８を設けるには、例えば繊維質バッキング１６の係止突起として突出する繊維、例えばカット端１７ａの側面に繊維ウェブを形成し、次いで、ニードリングなどの絡合処理を施して繊維ウェブの構成繊維を繊維質バッキング１６の構成繊維及び又は経編み緯糸挿入編物１７と絡ませて結合させる。次いで、繊維ウェブ側から樹脂エマルジョンを塗布し、乾燥させるという方法を採ることができる。尚、この場合、樹脂エマルジョンの乾燥後の固定分量が余りに多いと、多孔質カバー１８を構成する繊維間相互の自由度がなくなり、カット端１７ａが多孔質カバー１８内を出没することが困難になる。
【００２９】
また別納方法としては、繊維質バッキング１６の係止突起として突出する繊維、例えばカット端１７ａの側面に、例えばポリアミド系ホットメルト樹脂、ポリスチレン系ホットメルト樹脂、ポリエチレン系ホットメルト樹脂、ＥＶＡ系ホットメルト樹脂などのホットメルト樹脂に発泡剤を添加したりガスを吹き込むことで発泡させたものを塗布又は含浸するという方法を採ることもできる。尚、この場合、カバーを構成する樹脂量が余りに多いと、また、その発泡倍率が余りに小さいと、多孔質カバー１８の自由度がなくなり、カット端１７ａが多孔質カバー１８内を出没することが困難になる。
【００３０】
尚、本発明のフロアマットは、図示の例に限定されず、特許請求の範囲に記載した範囲で自由に変更して実施することができる。
【符号の説明】
【００３１】
１２・・・表装材
１３・・・基布
１４・・・パイル糸
１６・・・繊維質バッキング
１７・・・経編み緯糸挿入編物
１８・・・多孔質カバー
【図１】
2014061122.tif 000003
【図２】
2014061122.tif 000004
【図３】
2014061122.tif 000005